【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
画像を表示する表示手段を備える表示装置であって
表示画質と消費電力とが各々異なる複数の動作モードのうち、いずれか１つを前記表示装置の動作モードとして設定する設定手段と、
前記設定手段により設定された動作モードの情報及び当該動作モードへの設定要求を、他の表示装置に送信する送信手段と、
前記他の表示装置に設定されている動作モードに関連する情報を前記他の表示装置から受信する受信手段と、
を備え、
前記設定手段は、前記受信手段が受信した前記他の表示装置に設定されている動作モードに関連する情報に基づいて、前記他の表示装置が前記設定要求された動作モードに設定されなかった場合に、前記表示装置に設定されている動作モードと異なる動作モードを前記表示装置に設定することを特徴とする表示装置。
【請求項２】
前記設定手段は、前記表示装置の電池残量、ユーザによる動作モードの設定、及びユーザによる表示装置に対する操作が無い時間である無操作時間のうち、いずれかに基づいて動作モードを前記表示装置に設定することを特徴とする請求項１に記載の表示装置。
【請求項３】
前記受信手段は、前記他の表示装置の電池残量、ユーザによる動作モードの設定、及びユーザによる表示装置に対する操作が無い時間である無操作時間のうち、いずれかを、前記他の表示装置に設定されている動作モードに関連する情報として受信し、
前記設定手段は、当該情報に基づいて、動作モードを前記表示装置に設定することを特徴とする請求項１または請求項２に記載の表示装置。
【請求項４】
前記受信手段が、他の表示装置から、前記設定要求を拒否することを示す拒否情報を
受信した場合、警告表示を行うことを特徴とする請求項１乃至請求項３のいずれか１項に記載の表示装置。
【請求項５】
前記受信手段は、他の表示装置から、前記設定要求を拒否することを示す拒否情報を受信した場合、前記設定手段は、前記送信手段が送信した前記動作モードよりも消費電力が低い動作モードを、動作モードとして設定し、
前記送信手段は、前記設定手段が設定した当該動作モードの情報及び当該動作モードへの設定要求を、前記他の表示装置へ送信することを特徴とする請求項１乃至請求項４に記載の表示装置。
【請求項６】
画像を表示する表示手段を備える表示装置であって、
表示画質と消費電力とが各々異なる複数の動作モードのうち、いずれか１つを前記表示装置の動作モードとして設定する設定手段と、
他の表示装置から、前記他の表示装置に設定されている動作モードの情報及び当該動作モードへの設定要求を受信する受信手段と
前記設定手段が設定した動作モードに関連する情報を、前記他の表示装置に送信する送信手段と、
を備え、
前記受信手段が前記設定要求を受信し、かつ前記設定手段が前記設定要求に基づく動作モードに前記表示装置を設定することが可能な場合に、前記設定手段は、前記設定要求に基づいて、前記表示装置に動作モードを設定し、
前記受信手段が前記設定要求を受信し、かつ前記設定手段が前記設定要求に基づいて前記表示装置に動作モードを設定できない場合に、前記送信手段は、前記設定要求に対する拒否情報を、前記他の表示装置に送信することを特徴とする表示装置。
【請求項７】
前記受信手段が前記設定要求を受信していない場合に、前記設定手段は、前記表示装置の電池残量、ユーザによる動作モードの設定、およびユーザによる前記表示装置に対する操作が無い時間である無操作時間のうち、いずれかを設定要因として、動作モードを前記表示装置に設定し、
前記送信手段は、前記設定要因を前記他の表示装置に送信することを特徴とする請求項６に記載の表示装置。
【請求項８】
前記受信手段が受信した前記設定要求に基づいて、前記他の表示装置に設定されている動作モードと同一の動作モードを前記表示装置に設定することを特徴とする請求項６または請求項７に記載の表示装置。
【請求項９】
画像を表示する表示手段を備える表示装置であって
表示画質と消費電力とが各々異なる複数の動作モードのうち、いずれか１つを前記表示装置の動作モードとして設定する設定手段と、
前記設定手段により設定された動作モードの情報、または当該動作モードへの設定要求を、他の表示装置に送信する送信手段と、
前記他の表示装置に設定されている動作モードに関連する情報、または当該動作モードへの設定要求を前記他の表示装置から受信する受信手段と、
を備え、
前記送信手段が前記設定要求を前記他の表示装置に送信し、かつ、前記受信手段が、前記他の表示装置が前記設定要求された動作モードに設定されなかったことを示す情報を受信した場合に、前記設定手段は、前記表示装置に設定されている動作モードと異なる動作モードを前記表示装置に設定し、
前記受信手段が前記設定要求を受信し、かつ前記設定手段が前記設定要求に基づく動作モードに前記表示装置を設定することが可能な場合に、前記設定手段は、前記設定要求に基づいて、前記表示装置に動作モードを設定し、
前記受信手段が前記設定要求を受信し、かつ前記設定手段が前記設定要求に基づいて前記表示装置に動作モードを設定できない場合に、前記送信手段は、前記設定要求に対する拒否情報を、前記他の表示装置に送信することを特徴とする表示装置。
【請求項１０】
画像を表示する表示手段を備える表示装置の制御方法であって
表示画質と消費電力とが各々異なる複数の動作モードのうち、いずれか１つを前記表示装置の動作モードとして設定する設定工程と、
前記設定工程により設定された動作モードの情報及び当該動作モードへの設定要求を、他の表示装置に送信する送信工程と、
前記他の表示装置に設定されている動作モードに関連する情報を前記他の表示装置から受信する受信工程と、
を有し、
前記設定工程では、前記受信工程で受信した前記他の表示装置に設定されている動作モードに関連する情報に基づいて、前記他の表示装置が前記設定要求された動作モードに設定されなかった場合に、前記表示装置に設定されている動作モードと異なる動作モードを前記表示装置に設定することを特徴とする表示装置の制御方法。
【請求項１１】
画像を表示する表示手段を備える表示装置の制御方法であって、
表示画質と消費電力とが各々異なる複数の動作モードのうち、いずれか１つを前記表示装置の動作モードとして設定する設定工程と、
他の表示装置から、前記他の表示装置に設定されている動作モードの情報及び当該動作モードへの設定要求を受信する受信工程と
前記設定工程で設定した動作モードに関連する情報を、前記他の表示装置に送信する送信工程と、
を有し、
前記受信工程で前記設定要求を受信し、かつ前記設定工程で前記設定要求に基づく動作モードに前記表示装置を設定することが可能な場合に、前記設定工程では、前記設定要求に基づいて、前記表示装置に動作モードを設定し、
前記受信工程で前記設定要求を受信し、かつ前記設定工程で前記設定要求に基づいて前記表示装置に動作モードを設定できない場合に、前記送信工程では、前記設定要求に対する拒否情報を、前記他の表示装置に送信することを特徴とする表示装置の制御方法。
【請求項１２】
画像を表示する表示手段を備える表示装置であって
表示画質と消費電力とが各々異なる複数の動作モードのうち、いずれか１つを前記表示装置の動作モードとして設定する設定工程と、
前記設定工程により設定された動作モードの情報、または当該動作モードへの設定要求を、他の表示装置に送信する送信工程と、
前記他の表示装置に設定されている動作モードに関連する情報、または当該動作モードへの設定要求を前記他の表示装置から受信する受信工程と、
を有し、
前記送信工程で前記設定要求を前記他の表示装置に送信し、かつ、前記受信工程で、前記他の表示装置が前記設定要求された動作モードに設定されなかったことを示す情報を受信した場合に、前記設定工程では、前記表示装置に設定されている動作モードと異なる動作モードを前記表示装置に設定し、
前記受信工程で前記設定要求を受信し、かつ前記設定工程で前記設定要求に基づく動作モードに前記表示装置を設定することが可能な場合に、前記設定工程では、前記設定要求に基づいて、前記表示装置に動作モードを設定し、
前記受信工程で前記設定要求を受信し、かつ前記設定工程で前記設定要求に基づいて前記表示装置に動作モードを設定できない場合に、前記送信工程では、前記設定要求に対する拒否情報を、前記他の表示装置に送信することを特徴とする表示装置の制御方法。
【手続補正２】
【補正対象書類名】明細書
【補正対象項目名】００１１
【補正方法】変更
【補正の内容】
【００１１】
本発明は、画像を表示する表示手段を備える表示装置であって
表示画質と消費電力とが各々異なる複数の動作モードのうち、いずれか１つを前記表示装置の動作モードとして設定する設定手段と、
前記設定手段により設定された動作モードの情報及び当該動作モードへの設定要求を、他の表示装置に送信する送信手段と、
前記他の表示装置に設定されている動作モードに関連する情報を前記他の表示装置から受信する受信手段と、
を備え、
前記設定手段は、前記受信手段が受信した前記他の表示装置に設定されている動作モードに関連する情報に基づいて、前記他の表示装置が前記設定要求された動作モードに設定されなかった場合に、前記表示装置に設定されている動作モードと異なる動作モードを前記表示装置に設定することを特徴とする表示装置である。
また、本発明は、画像を表示する表示手段を備える表示装置であって、
表示画質と消費電力とが各々異なる複数の動作モードのうち、いずれか１つを前記表示装置の動作モードとして設定する設定手段と、
他の表示装置から、前記他の表示装置に設定されている動作モードの情報及び当該動作モードへの設定要求を受信する受信手段と
前記設定手段が設定した動作モードに関連する情報を、前記他の表示装置に送信する送信手段と、
を備え、
前記受信手段が前記設定要求を受信し、かつ前記設定手段が前記設定要求に基づく動作モードに前記表示装置を設定することが可能な場合に、前記設定手段は、前記設定要求に基づいて、前記表示装置に動作モードを設定し、
前記受信手段が前記設定要求を受信し、かつ前記設定手段が前記設定要求に基づいて前記表示装置に動作モードを設定できない場合に、前記送信手段は、前記設定要求に対する拒否情報を、前記他の表示装置に送信することを特徴とする表示装置である。
また、本発明は、画像を表示する表示手段を備える表示装置であって
表示画質と消費電力とが各々異なる複数の動作モードのうち、いずれか１つを前記表示装置の動作モードとして設定する設定手段と、
前記設定手段により設定された動作モードの情報、または当該動作モードへの設定要求を、他の表示装置に送信する送信手段と、
前記他の表示装置に設定されている動作モードに関連する情報、または当該動作モードへの設定要求を前記他の表示装置から受信する受信手段と、
を備え、
前記送信手段が前記設定要求を前記他の表示装置に送信し、かつ、前記受信手段が、前記他の表示装置が前記設定要求された動作モードに設定されなかったことを示す情報を受信した場合に、前記設定手段は、前記表示装置に設定されている動作モードと異なる動作モードを前記表示装置に設定し、
前記受信手段が前記設定要求を受信し、かつ前記設定手段が前記設定要求に基づく動作モードに前記表示装置を設定することが可能な場合に、前記設定手段は、前記設定要求に基づいて、前記表示装置に動作モードを設定し、
前記受信手段が前記設定要求を受信し、かつ前記設定手段が前記設定要求に基づいて前記表示装置に動作モードを設定できない場合に、前記送信手段は、前記設定要求に対する拒否情報を、前記他の表示装置に送信することを特徴とする表示装置である。
【手続補正３】
【補正対象書類名】明細書
【補正対象項目名】００１２
【補正方法】変更
【補正の内容】
【００１２】
本発明は、画像を表示する表示手段を備える表示装置の制御方法であって
表示画質と消費電力とが各々異なる複数の動作モードのうち、いずれか１つを前記表示装置の動作モードとして設定する設定工程と、
前記設定工程により設定された動作モードの情報及び当該動作モードへの設定要求を、他の表示装置に送信する送信工程と、
前記他の表示装置に設定されている動作モードに関連する情報を前記他の表示装置から受信する受信工程と、
を有し、
前記設定工程では、前記受信工程で受信した前記他の表示装置に設定されている動作モードに関連する情報に基づいて、前記他の表示装置が前記設定要求された動作モードに設定されなかった場合に、前記表示装置に設定されている動作モードと異なる動作モードを前記表示装置に設定することを特徴とする表示装置の制御方法である。
また、本発明は、画像を表示する表示手段を備える表示装置の制御方法であって、
表示画質と消費電力とが各々異なる複数の動作モードのうち、いずれか１つを前記表示装置の動作モードとして設定する設定工程と、
他の表示装置から、前記他の表示装置に設定されている動作モードの情報及び当該動作モードへの設定要求を受信する受信工程と
前記設定工程で設定した動作モードに関連する情報を、前記他の表示装置に送信する送信工程と、
を有し、
前記受信工程で前記設定要求を受信し、かつ前記設定工程で前記設定要求に基づく動作モードに前記表示装置を設定することが可能な場合に、前記設定工程では、前記設定要求に基づいて、前記表示装置に動作モードを設定し、
前記受信工程で前記設定要求を受信し、かつ前記設定工程で前記設定要求に基づいて前記表示装置に動作モードを設定できない場合に、前記送信工程では、前記設定要求に対する拒否情報を、前記他の表示装置に送信することを特徴とする表示装置の制御方法である。
また、本発明は、画像を表示する表示手段を備える表示装置であって
表示画質と消費電力とが各々異なる複数の動作モードのうち、いずれか１つを前記表示装置の動作モードとして設定する設定工程と、
前記設定工程により設定された動作モードの情報、または当該動作モードへの設定要求を、他の表示装置に送信する送信工程と、
前記他の表示装置に設定されている動作モードに関連する情報、または当該動作モードへの設定要求を前記他の表示装置から受信する受信工程と、
を有し、
前記送信工程で前記設定要求を前記他の表示装置に送信し、かつ、前記受信工程で、前記他の表示装置が前記設定要求された動作モードに設定されなかったことを示す情報を受信した場合に、前記設定工程では、前記表示装置に設定されている動作モードと異なる動作モードを前記表示装置に設定し、
前記受信工程で前記設定要求を受信し、かつ前記設定工程で前記設定要求に基づく動作モードに前記表示装置を設定することが可能な場合に、前記設定工程では、前記設定要求に基づいて、前記表示装置に動作モードを設定し、
前記受信工程で前記設定要求を受信し、かつ前記設定工程で前記設定要求に基づいて前記表示装置に動作モードを設定できない場合に、前記送信工程では、前記設定要求に対する拒否情報を、前記他の表示装置に送信することを特徴とする表示装置の制御方法である。